(57)【要約】【課題】防水ケースに加工をすることなく、ケーブルの増減に対応可能で、縦横自在に設置でき、さらに耐結露対策、防虫及び防水が可能な防水ケースを提供する。【解決手段】防水ケース１０は、縦置きとして壁面に配置され、外線ケーブル１５に接続されている電気回路（図示せず）を内蔵し、壁面に固定されるベース１２とベースに取り付けられるカバー１１を有している。また、外線ケーブル１５は、ケーブルパッキン１３で防水を確保した状態で防水ケース１０の左下部角から下方へ伸びているため、防水ケース１０を反時計方向に９０度回転して横置きで設置しても同様の防水効果が得られる。【選択図】図１
2006351905.tif 000002
【特許請求の範囲】
【請求項１】
壁面に設置され、ケーブルが接続された電気回路を内蔵する箱形の防水ケースにおいて、
防水ケースの下方側の角に設けられた端面から斜め下方に開口されたケーブル孔と、
ケーブル孔に設けられ、防水ケースに付着した雨水を流すリブと、
を有し、
防水ケースの配置方向を横置き又は縦置としても雨水の侵入を防止することを特徴とする防水ケース。
【請求項２】
請求項１に記載の防水ケースにおいて、
防水ケースは、壁面に固定されるベースと、ベースを覆うカバーと、ベースとカバーにより挟まれる防水用の外周パッキンと、を有し、
ベースの角から斜め下方に開口されたケーブル孔のリブは、ベースに設けられたリブと、カバーの一部であることを特徴とする防水ケース。
【請求項３】
請求項１又は２に記載の防水ケースにおいて、
外周パッキンは、ケーブル孔が設けられた端面で途切れており、
ケーブルを保持するケーブルパッキンと、外周パッキンと、の間のケーブル孔脇のベースとカバーの隙間により通気を確保することを特徴とする防水ケース。
【請求項４】
請求項１から３のいずれか１項に記載の防水ケースにおいて、
電気回路は、通信機の無線通信回路であることを特徴とする防水ケース。
【発明の詳細な説明】
【技術分野】
【０００１】
本発明は、ケーブルが接続された電気回路を内部に格納するケースに関し、特に、雨水から電気回路を保護する防水ケースに関する。
【背景技術】
【０００２】
近年、無線通信技術の進歩により従来は固定電話を利用していた電力メータ、ガスメータ、水道メータ、自動販売機などの遠隔情報回線の無線通信化が進んでいる。この理由として、無線通信費用のコストダウンによる運用費の低下と工事施行のしやすさがあげられる。このため、無線基地局との通信を確保する必要から、無線通信機器は、屋外又は屋内を選ばず、結露や雨水が吹き込む場所に設置されることが多くなった。
【０００３】
このような状況において、省力無線通信機を内蔵した電子機器のケース構造に関する技術が特許文献１に公開されている。
【０００４】
【特許文献１】特開２００１−２４３４８号公報
【発明の開示】
【発明が解決しようとする課題】
【０００５】
しかしながら、無線通信の場合は、基地局から見通しが悪くなると電波の到達距離が短くなり、設置場所による電波感度の変動が発生する。さらに、限られた取付け場所で最適な電波を選ぶ必要があり、縦置きや横置きを余分な加工なしに自由に選択したいという要求があった。
【０００６】
従来のように設置方向を決めてから防水ケースのケーブル引出孔を開ける方法では、設置作業の簡略化ができず、また防水ケースの加工ミスにより不良品となる場合もある。このような無線通信機は、自動販売機、エレベータ装置、駐車場料金支払機などに付設され、顧客の要求により接続ケーブルの太さや本数が変わり、さらに、防水、防虫及び耐結露対策を施す必要がある。
【０００７】
しかし、無線通信機では信号の伝送に高周波を用いるため高周波部品に耐結露対策用のシリコンなどのコーティングを施すことができず、特許文献１では、膜部材と網部材を用いて耐結露対策に加えて防水及び防虫対策に関する技術が示されている。
【０００８】
そこで、本発明の目的は、防水ケースに加工をすることなく、ケーブルの増減に対応可能で、縦横自在に設置でき、さらに耐結露対策、防虫及び防水が可能な防水ケースを提供することをその目的の一つとした。
【課題を解決するための手段】
【０００９】
以上のような目的を達成するために、本発明に係る防水ケースは、壁面に設置され、ケーブルが接続された電気回路を内蔵する箱形の防水ケースにおいて、防水ケースの下方側の角に設けられた端面から斜め下方に開口されたケーブル孔と、ケーブル孔に設けられ、防水ケースに付着した雨水を流すリブと、を有し、防水ケースの配置方向を横置き又は縦置きとしても雨水の侵入を防止することを特徴とする。
【００１０】
また、本発明に係る防水ケースにおいて、防水ケースは、壁面に固定されるベースと、ベースを覆うカバーと、ベースとカバーにより挟まれる防水用の外周パッキンと、を有し、ベースの角から斜め下方に開口されたケーブル孔のリブは、ベースに設けられたリブと、カバーの一部であることを特徴とする。
【００１１】
さらに、本発明に係る防水ケースにおいて、外周パッキンは、ケーブル孔が設けられた端面で途切れており、ケーブルを保持するケーブルパッキンと、外周パッキンと、の間のケーブル孔脇のベースとカバーの隙間により通気を確保することを特徴とする。
【００１２】
さらにまた、本発明に係る防水ケースにおいて、電気回路は、通信機の無線通信回路であることを特徴とする。
【発明の効果】
【００１３】
本発明を用いることにより、防水ケースに加工をすることなく、ケーブルの増減に対応可能で、縦横自在に設置でき、さらに耐結露対策、防虫及び防水が可能な防水ケースとすることが可能となる。
【発明を実施するための最良の形態】
【００１４】
以下、本発明の実施の形態（以下実施形態という）を、図面に従って説明する。
【００１５】
図１は、本発明の実施形態に係る防水ケース１０を縦置きとした場合の３面図である。防水ケース１０は、外線ケーブル１５に接続されている電気回路（図示せず）を内蔵し、壁面に固定されるベース１２と、ベース１２に取り付けられるカバー１１を有している。ベース１２は、安定して設置可能なように４個の足１６が設けられている。また、外線ケーブル１５は、ケーブルパッキン１３で防水を確保した状態で防水ケース１０の左下部角に設けられた端面１７から下方へ伸びている。
【００１６】
図２は、本発明の実施形態に係る防水ケース１０を横置きとした場合の３面図である。防水ケース１０は、図１に示した防水ケース１０を反時計方向に９０度傾けて壁面に設置されている。外線ケーブル１５は、防水ケース１０の右下部角から下方に伸びており、同一の防水ケース１０を用いて縦置きと横置きがケーブルの付け替え無しに可能となっている。
【００１７】
図３は、本発明の実施形態に係る防水ケース１０のベース側から雨水の流れを示した２面図である。縦置きに設置された場合、雨水は防水ケース１０に付着し、外線ケーブル１５が設けられている側において、雨水流路３０のように側面を伝わりリブ１４で流路が屈曲され、防水ケース１０の内部に侵入することなく下方へ落下する。同様に、反対側側面の雨水流路３１のように側面を伝わり、そのまま下方へ落下する。
【００１８】
図４は、本発明の実施形態に係る防水ケース１０を縦置きに配置し、防水ケース１０からカバー１１を外したベース１２の正面図と、防水ケース１０のＡ−Ａ断面４１を示した断面図である。カバー１１はベース１２に２本のネジで固定されるが、工具無しで固定可能とするため、プラス、マイナス溝付きのネジ又は、指で自在に回すことが可能な蝶ネジなどを使用できるようにカバーに凹部を設けている。
【００１９】
ベース１２は、外周に外周パッキン溝２２を有し、外周パッキン溝２２には外周パッキン２１がはめ込まれている。さらに、ベース１２は、左下部角に端面と、端面１７（反対面）に外線ケーブル１５を保持するケーブル孔と、雨水の侵入を防ぐリブ１４（反対面）と、を有している。
【００２０】
外周パッキン溝２２は、端部で途切れており、ケーブルパッキン１３と外周パッキン２１の間のベース１２とカバー１１のわずかな隙間が通気経路３４を形成し、通気が確保されている。この通気経路３４は、縦置き又は横置きであっても下方側に開口しているため、雨水が侵入しにくく、折れ曲がった隙間であるため、虫などが通過できず防虫効果も備えている。
【００２１】
図５は、本発明の実施形態に係る防水ケース１０を横置きに配置し、防水ケース１０からカバー１１を外したベース１２の正面図と、防水ケース１０のＡ−Ａ断面４２を示した断面図である。横置きで配置した場合でも、縦置き時と同様な雨水流路３０，３１となり、雨水の浸入を防いでいる。
【００２２】
図６は、本発明の実施形態に係る防水ケース１０のＢ部（図５）を拡大し、雨水の流れを示した説明図である。カバー１１は、ベース１２の半分を覆うスカート部を有し、雨水経路３２より雨水経路３３に雨水を多く流すようにしている。また、壁面１８上だけでなく、水平面に配置した場合でもカバー１１がベース１２を覆うような構成となっているため、同様な効果を得ることが可能である。
【００２３】
図７は、本発明の実施形態に係る防水ケースのＤ−Ｄ断面４３（図５）を拡大し、雨水の流れと通気の流れを示した説明図である。防水ケース１０に付着した雨水は、カバー１１を伝って雨水経路３３で下方に落下すると共に、ベース１２を伝わって雨水経路３２で下方に落下する。また、通気はカバー１１とベース１２の隙間で形成される通気経路３４で行われる。
【００２４】
図８は、本発明の実施形態に係る防水ケース１０にＰＨＳ通信機２５を収め、カバー１１を外したベース１２の状態を示す斜視図である。ベース１２の外周には外周パッキン溝２２を有している。防水ケース１０の内部には、アンテナ２６が接続されたＰＨＳ通信機２５と制御回路２７を有し、制御回路２７は外線ケーブル１５を介して図示しない外部端末に接続されている。アンテナ２６は防水ケース１０の内部で受信方向を変えることができないので、防水ケース１０の横置き又は縦置きによりその受信方向の調整が可能である。さらに、調整が必要な場合は、ＰＨＳ通信機２５に図示しない外部アンテナを外線ケーブル１５の中を通して接続することも可能である。
【００２５】
図９は、本発明の実施形態に係る防水ケース１０のリブ１４をベース側から見た拡大斜視図である。リブ１４は、カバー１１で覆われるようにベースの端部に設けられているため、縦置き、横置き及び水平置きであってもカバー１１で隠れる構造となっている。
【００２６】
図１０は、本発明の実施形態に係る防水ケース１０のリブ１４に接するカバー１１の拡大斜視図である。図１０は、カバー１１の内部側から見た図であり、ベース１２のリブに一部接するようにケーブルパッキンホルダ１９が設けられており、わずかな隙間（例えば０．１ｍｍ）を有している。また、ケーブルパッキン１３は、ケーブルパッキンホルダ１９にはめ込まれ、ベース１２のリブ、ケーブルパッキンホルダ１９及びケーブルパッキン１３により雨水の浸入と、虫などの通過を防いでいる。
【００２７】
以上説明したように、本実施形態によると、防水ケースに追加加工をすることなく、ケーブルの増減に対応可能で、縦横自在に設置でき、さらに耐結露対策、防虫及び防水が可能な防水ケースとすることができるという効果がある。
【００２８】
通気孔に膜部材や網部材を設ける必要がないため、部品数の低減が可能となり安価なコストで防水ケースを提供可能となる効果もある。
【００２９】
なお、本実施形態では、主に壁面に縦置き又は横置きとする実施例について説明したが、水平面に設置しても十分な防水効果が得られることは言うまでもない。また、内蔵される電気回路はＰＨＳ通信機２５に限定するものではない。
【図面の簡単な説明】
【００３０】
【図１】本発明の実施形態に係る防水ケースを縦置きとした場合の３面図である。
【図２】本発明の実施形態に係る防水ケースを横置きとした場合の３面図である。
【図３】本発明の実施形態に係る防水ケースのベース側から雨水の流れを示した２面図である。
【図４】本発明の実施形態に係る防水ケースを縦置きに配置し、防水ケースからカバーを外したベースの正面図と、防水ケースのＡ−Ａ断面を示した断面図である。
【図５】本発明の実施形態に係る防水ケースを横置きに配置し、防水ケースからカバーを外したベースの正面図と、防水ケースのＡ−Ａ断面を示した断面図である。
【図６】本発明の実施形態に係る防水ケースのＢ部（図５）を拡大し、雨水の流れを示した説明図である。
【図７】本発明の実施形態に係る防水ケースのＤ−Ｄ断面（図５）を拡大し、雨水の流れと通気の流れを示した説明図である。
【図８】本発明の実施形態に係る防水ケースにＰＨＳ通信機を収め、カバーを外した状態を示す斜視図である。
【図９】本発明の実施形態に係る防水ケースのリブをベース側から見た拡大斜視図である。
【図１０】本発明の実施形態に係る防水ケースのリブに接するカバー部の拡大斜視図である。
【符号の説明】
【００３１】
１０  防水ケース、１１  カバー、１２  ベース、１３  ケーブルパッキン、１４  リブ、１５  外線ケーブル、１６  足、１７  端面、１８  壁面、１９  ケーブルパッキンホルダ、２１  外周パッキン、２２  外周パッキン溝、２５  ＰＨＳ通信機、２６  アンテナ、２７  制御回路、３０〜３３  雨水流路、３４  通気経路、４１〜４３  断面。
【図１】
2006351905.tif 000003
【図２】
2006351905.tif 000004
【図３】
2006351905.tif 000005
【図４】
2006351905.tif 000006
【図５】
2006351905.tif 000007
【図６】
2006351905.tif 000008
【図７】
2006351905.tif 000009
【図８】
2006351905.tif 000010
【図９】
2006351905.tif 000011
【図１０】
2006351905.tif 000012